(57)【要約】【課題】無線装置において一覧表示すべき項目数が増えた場合でも、容易に所望の項目を表示可能とする。【解決手段】無線装置１は、制御部１０の制御の下、検索の指示入力を行うための検索キー２１の操作時にその操作状態を判別し、その判別されたいずれかの操作状態に応じて記憶部４０に格納された複数項目のデータから検索すべき項目の条件設定を行い、判別された他の操作状態に応じてその設定された検索条件で記憶部４０に格納されたデータから項目の検索を行って、その検索された項目のデータを表示部３０に表示する。【選択図】図１
2008250638.tif 000002
【特許請求の範囲】
【請求項１】
複数項目のデータを格納する記憶手段と、
検索の指示入力を行うための操作入力手段と、
前記操作入力手段の操作状態を判別する判別手段と、
前記判別手段で判別されたいずれかの操作状態に応じて検索すべき項目の条件設定を行う設定手段と、
前記判別手段で判別された他の操作状態に応じて前記設定手段により設定された条件で前記記憶手段に格納されたデータから項目の検索を行う検索手段と、
前記検索手段で検索された項目のデータを表示する表示手段と、
を備える無線装置。
【請求項２】
前記設定手段により設定された検索すべき項目の条件を画面表示する条件表示手段を更に備える請求項１に記載の無線装置。
【請求項３】
前記判別手段は、前記操作入力手段の押下時間で操作状態を判別する請求項１又は２に記載の無線装置。
【請求項４】
前記検索すべき項目の切替順を設定する切替順設定手段を更に備え、
前記設定手段は、前記切替順設定手段により予め設定された順序に基づいて検索すべき項目を切り替えて設定する請求項１〜３のいずれか一項に記載の無線装置。
【請求項５】
他の無線装置から送信されるデータを受信するデータ受信手段を更に備え、
前記記憶手段に格納される複数項目のデータは、前記データ受信手段で受信されたデータである請求項１〜４のいずれか一項に記載の無線装置。
【請求項６】
前記データ受信手段は、前記他の無線装置から送信されるＡＰＲＳ形式の受信データを受信する請求項５に記載の無線装置。
【請求項７】
複数項目のデータを格納する記憶手段と、検索の指示入力を行うための操作入力手段と、を有する無線装置の表示方法であって、
前記操作入力手段の操作状態を判別し、前記判別されたいずれかの操作状態に応じて検索すべき項目の条件設定を行い、前記判別された他の操作状態に応じて前記設定された条件で前記記憶手段に格納されたデータから項目の検索を行い、前記検索された項目のデータを画面表示する表示方法。
【請求項８】
複数項目のデータを格納する記憶手段と、検索の指示入力を行うための操作入力手段と、を有する無線装置のコンピュータに、
前記操作入力手段の操作状態を判別し、前記判別されたいずれかの操作状態に応じて検索すべき項目の条件設定を行い、前記判別された他の操作状態に応じて前記設定された条件で前記記憶手段に格納されたデータから項目の検索を行い、前記検索された項目のデータの画面表示を実行させるためのプログラム。
【発明の詳細な説明】
【技術分野】
【０００１】
本発明は、無線装置、表示方法及びプログラムに関する。
【背景技術】
【０００２】
従来、車載の無線装置などでは、ＡＰＲＳ（Automatic Position Reporting System）形式などの所定のデータ通信方式で送信されるデータを受信する機能を有するものがある。この受信されたデータは、順次メモリに格納されており、ＬＣＤ（Liquid  Crystal  Display）などの表示パネルにおいて、例えばリスト形式で一覧表示される。この一覧表示された受信データは、キー操作などによる指示に基づいて項目を一つずつＵＰ／ＤＯＷＮして選択可能であり、所望の受信データを選択することでその詳細表示が行われる。
【０００３】
例えば、特許文献１には、他車の無線機に対して電波を送信して通信を行う車載ナビゲーションシステムにおいて、他局からの受信データをメモリに記憶し、そのメモリから読み出したデータに基づいて通信可能な局名を表示部に表示して、タッチパネルなどから選択指示を受け付ける技術が開示されている。
【特許文献１】特開平１０−６２１９０号公報
【発明の開示】
【発明が解決しようとする課題】
【０００４】
しかしながら、従来の無線装置では、ＡＰＲＳなどで受信したデータ量が多くなり、一覧表示すべき項目数が増えた場合、項目を一つずつＵＰ／ＤＯＷＮして表示したのでは所望の項目を表示するまでに多くの時間を必要とし、操作が容易ではなかった。
【０００５】
また、複数項目分スクロールさせるスクロールキー（例えば、５項目ずつＵＰ／ＤＯＷＮ）などを設けた場合は、一つずつ選択項目を移動させるキーとスクロールキーとを使い分ける必要があり、キーを押し間違える可能性が生じるため不便であった。
【０００６】
本発明の課題は、上記従来技術の問題に鑑みてなされたものであって、無線装置において一覧表示すべき項目数が増えた場合でも、容易に所望の項目を表示可能とすることである。
【課題を解決するための手段】
【０００７】
上記課題を解決するために、請求項１に記載の発明は、複数項目のデータを格納する記憶手段と、
検索の指示入力を行うための操作入力手段と、
前記操作入力手段の操作状態を判別する判別手段と、
前記判別手段で判別されたいずれかの操作状態に応じて検索すべき項目の条件設定を行う設定手段と、
前記判別手段で判別された他の操作状態に応じて前記設定手段により設定された条件で前記記憶手段に格納されたデータから項目の検索を行う検索手段と、
前記検索手段で検索された項目のデータを表示する表示手段と、
を備える。
【０００８】
請求項２に記載の発明は、請求項１に記載の発明において、前記設定手段により設定された検索すべき項目の条件を画面表示する条件表示手段を更に備える。
【０００９】
請求項３に記載の発明は、請求項１又は２に記載の発明において、前記判別手段は、前記操作入力手段の押下時間で操作状態を判別する。
【００１０】
請求項４に記載の発明は、請求項１〜３のいずれか一項に記載の発明において、前記検索すべき項目の切替順を設定する切替順設定手段を更に備え、
前記設定手段は、前記切替順設定手段により予め設定された順序に基づいて検索すべき項目を切り替えて設定する。
【００１１】
請求項５に記載の発明は、請求項１〜４のいずれか一項に記載の発明において、他の無線装置から送信されるデータを受信するデータ受信手段を更に備え、
前記記憶手段に格納される複数項目のデータは、前記データ受信手段で受信されたデータである。
【００１２】
請求項６に記載の発明は、請求項５に記載の発明において、前記データ受信手段は、前記他の無線装置から送信されるＡＰＲＳ形式の受信データを受信する。
【００１３】
請求項７に記載の発明は、複数項目のデータを格納する記憶手段と、検索の指示入力を行うための操作入力手段と、を有する無線装置の表示方法であって、
前記操作入力手段の操作状態を判別し、前記判別されたいずれかの操作状態に応じて検索すべき項目の条件設定を行い、前記判別された他の操作状態に応じて前記設定された条件で前記記憶手段に格納されたデータから項目の検索を行い、前記検索された項目のデータを画面表示する。
【００１４】
請求項８に記載の発明は、複数項目のデータを格納する記憶手段と、検索の指示入力を行うための操作入力手段と、を有する無線装置のコンピュータに、
前記操作入力手段の操作状態を判別し、前記判別されたいずれかの操作状態に応じて検索すべき項目の条件設定を行い、前記判別された他の操作状態に応じて前記設定された条件で前記記憶手段に格納されたデータから項目の検索を行い、前記検索された項目のデータの画面表示を実行させるためのプログラムである。
【発明の効果】
【００１５】
本発明によれば、無線装置において一覧表示すべき項目数が増えた場合でも、容易に所望の項目を表示可能とすることができる。
【発明を実施するための最良の形態】
【００１６】
以下、この発明の実施の形態について図１〜図４を参照して説明するが、この発明は以下の実施の形態に限定しない。また、この発明の実施の形態は発明の最も好ましい形態を示すものであり、発明の用途や用語はこれに限定するものではない。
【００１７】
先ず、無線装置の構成について図１、２を参照して詳細に説明する。図１は、無線装置１の機能的構成を模式的に示している。図２（ａ）は、無線装置１における項目の表示画面を例示している。図２（ｂ）は、無線装置１における検索条件を設定する表示画面を例示している。
【００１８】
図１に示すように、無線装置１は、制御部１０、操作部２０、表示部３０、記憶部４０、通信部５０、通話部６０を備え、各部はバス７０により互いに電気的に接続されている。
【００１９】
制御部１０は、特に図示しないＣＰＵ（Central  Processing  Unit）、ＲＯＭ（Read  Only  Memory）、ＲＡＭ（Random  Access  Memory）などを備える回路部である。制御部１０では、ＣＰＵがＲＯＭや後述する記憶部４０に格納された各種制御プログラムやデータなどをＲＡＭの作業領域に展開して順次実行するこうとで、無線装置１における各種動作を統括制御する。
【００２０】
また、制御部１０は、常時一定周波数を発信する水晶発振器によるクロック信号を基準に動作するとともに、当該クロック信号を計数して時間を計測する機能を有する。
【００２１】
操作部２０は、検索キー２１の他、特に図示しない電源スイッチ、周波数選択スイッチ、音量調節つまみ、カーソルキー、各種機能キーなどを備え、入力された操作指示を操作信号として制御部１０へ出力する。
【００２２】
検索キー２１は、押下の開始時から終了時までの間に亘って操作信号を制御部１０へ出力する。制御部１０では、検索キー２１からの操作信号に基づいて押下時間の長短、即ち、異なる操作状態を検出する。検索キー２１は、同一のキー操作において、押下時間が短い場合（例えば、いずれかの操作状態）と長い場合（例えば、他の操作状態）とで異なる操作指示の受け付けを行う構成である（操作入力手段）。
【００２３】
なお、検索キー２１は、押下時間の長短で異なる操作指示の受け付けを行う構成以外に、スライドスイッチや回転つまみなどであり、スライド方向や回転方向の違いなどにより異なる操作指示の入力を受け付ける構成であってもよい。
【００２４】
検索キー２１は、上述した異なる操作指示として、記憶部４０に格納された複数項目のデータの中でいずれかの項目の検索を行う場合における、検索すべき項目の条件設定を行う指示、又は、設定された条件設定での検索実行指示を受け付ける。
【００２５】
表示部３０は、ＬＣＤ（Liquid  Crystal  Display）、ＬＥＤ（Light  Emitting  Diode）、ＦＬ（FLuorescent  Display）等の表示画面を備え、制御部１０から出力される制御信号に基づいて表示画面上に各種情報や操作画面を表示する。
【００２６】
具体的には、表示部３０は、図２（ａ）に示すように、後述する記憶部４０に格納された受信セッション毎の複数項目のデータである受信データ４１（例えば「１：○○○○○…、２：×××××…、３：△△△△△、４：□□□□□…」など）をリスト形式で縦方向に並べ、その項目の詳細情報（例えば「コールサイン」、「受信時間」、「データタイプ」など）を横方向に並べる一覧表示画面Ｇ１を表示する。
【００２７】
また、一覧表示画面Ｇ１には、記憶部４０に格納された設定データに基づいて、後述する処理において設定された検索すべき項目の条件設定（例えば、「固定局」を矢印方向（↓）に検索する等）を検索条件表示領域Ｇ１１に表示する。
【００２８】
また、表示部３０は、図２（ｂ）に示すように、操作部２０の機能キーの操作などに基づいて、記憶部４０に格納された設定データにおける検索すべき項目の条件設定の切替順を設定する検索条件設定画面Ｇ２を表示する。
【００２９】
検索条件設定画面Ｇ２には、検索すべき項目の条件として、固定局を矢印方向に検索する「固定局（↑）、固定局（↓）」、天気情報を矢印方向に検索する「天気（↑）、天気（↓）」、位置情報を矢印方向に検索する「位置情報（↑）、位置情報（↓）」、５項目分矢印方向にスクロールして検索する「５項目（↑）、５項目（↓）」などが切替順を示す番号の後に表示される。
【００３０】
無線装置１では、制御部１０の制御の下、表示部３０に検索条件設定画面Ｇ２を表示した状態で、操作部２０のカーソルキーなどでカーソル（図中の黒三角）を操作して、上述した検索すべき項目を所望の切替順を示す番号の後ろに選択移動させた後に記憶部４０の設定情報を更新することで、切替順の設定を行う（切替順設定手段）。
【００３１】
記憶部４０は、例えば半導体メモリなどの不揮発性メモリ等であり、受信データ４１や特に図示しない制御部１０が実行する各種制御プログラム、設定データなどを格納する。なお、この記憶部４０が格納する各種制御プログラムには、後述する制御部１０が実行する処理に係るプログラムが含まれる。また記憶部４０が格納する設定データには、検索すべき項目の条件設定の切替順や、現在設定されている検索すべき項目などのデータが格納される。
【００３２】
受信データ４１は、制御部１０の制御の下、通信部５０により受信されたデータであり、他の無線装置から送信されたデータの受信開始から終了までの一つの受信セッションでの受信データが一つの項目として格納されている。
【００３３】
通信部５０は、特に図示しないアンテナや同調回路、変調回路、増幅回路などを備え、制御部１０の制御の下、所定の周波数帯で音声信号やデータの送受信を行う機能部である。例えば、通信部５０は、制御部１０の制御の下、ＡＰＲＳ形式などの所定のデータ通信方式で他の無線装置とデータの送受信を行う。
【００３４】
この通信部５０におけるＡＰＲＳは、無線装置間においてＡＸ.２５プロトコルなどを用いて行われるブロードキャスト型のパケット通信方式である。例えば、無線装置１にＧＰＳ（Global  Positioning  System）を接続することで時刻、経度、緯度、速度、進行方向などの情報をブロードキャストすることが可能となる。また、気象観測装置を接続することで天気情報をブロードキャストすることが可能となる。また、ＧＰＳで取得される現在位置を積算して車両の進行状態から道路状況を判定する装置を接続することで道路状況などのメッセージをブロードキャストすることが可能となる。また、他の無線装置からブロードキャストされるデータは、一回の受信セッションにおける受信データが一つの項目として受信データ４１に格納される。
【００３５】
通話部６０は、マイクやスピーカ（イヤホン端子で接続されたマイク付きヘッドホンなどであってもよい）、アンプ、通話スイッチ等（特に図示しない）を備え、他の無線装置と送受信する音声信号の再生や取得など、通話に係る機能を提供する機能部である。
【００３６】
なお、通話部６０は、マイクからの音声信号を検知した場合に送信スイッチが入り送信モードに切り替わり、一定時間、音声が発せられないと受信モードに切り替わるＶＯＸ（Voice  Operation  Transmission）機能を備えるものであってもよい。
【００３７】
次に、制御部１０が実行する処理であり、検索キー２１の操作（キーの押下）が行われた際に実行される動作処理について図３、４を参照して詳細に説明する。図３は、無線装置１の制御部１０が順次実行する処理のステップ毎のフローチャートを示している。図４は、無線装置１における検索による表示項目の遷移を例示している。
【００３８】
図３に示すように、検索キー２１の押下により処理が開始されると、その押下時間の計測が開始され（ステップＳ１１）、キーの押下解除の有無が判定され（ステップＳ１２）、押下状態が解除されない場合（ステップＳ１２：ＮＯ）、即ち、検索キー２１が押し続けられた場合は、その押下時間が記憶部４０などに予め設定された長押し時間を経過したか否かが判定され（ステップＳ１３）、その長押し時間を経過していない場合はステップＳ１２へ戻る。
【００３９】
このステップＳ１２、ステップＳ１３の判定処理により、無線装置１は、検索キー２１の押下が設定された長押し時間を経過することなく解除された、いわゆる短押しの操作状態（ステップＳ１２：ＹＥＳ）と、検索キー２１の押下が設定された長押し時間を経過した、いわゆる長押しの操作状態（ステップＳ１３：ＹＥＳ）と、を判別することができる（判別手段）。
【００４０】
検索キー２１の押下が長押しの操作状態であると判定された場合（ステップＳ１３：ＹＥＳ）は、記憶部４０に格納された設定データを読み出して、現在設定されている検索すべき項目の条件が前述した切替順に従って変更され（ステップＳ１４）、終了する。
【００４１】
このステップＳ１４を行うことで、例えば、前述した図２（ｂ）のとおりに設定されており、現在設定されている検索すべき項目の条件が「固定局（↓）」である場合は、切替順として次の条件に設定されている「天気（↑）」に検索すべき条件が変更される。
【００４２】
検索キー２１の押下が短押しの操作状態であると判定された場合（ステップＳ１２：ＹＥＳ）は、記憶部４０に格納された設定データが読み出され、現在設定されている検索すべき項目の条件と、表示部３０に項目が一覧表示されている際にカーソルなどで現在選択されている項目から受信データ４１の読み出し位置が取得される（ステップＳ１５）。
【００４３】
次いで、検索すべき項目の条件として設定されてい検索方向に受信データ４１の読み出し位置がインクリメントされる（ステップＳ１６）。例えば、受信データ４１のリスト形式で縦方向に項目が並べられており、検索方向が下方向である場合は、下方向の項目へ読み出し位置がインクリメントされる。
【００４４】
次いで、現在の読み出し位置に基づいて記憶部４０に格納されている受信データ４１が読み出され（ステップＳ１７）、その読み出された項目が設定されている検索条件と一致するか否かが判定され（ステップＳ１８）、一致しない場合（ＮＯ）はステップＳ１６に戻る。即ち、検索条件が「固定局」である場合は、「固定局」に係る項目が検索されるまで、検索条件として設定された検索方向に検索対象の項目をインクリメントしていく処理構成である。
【００４５】
ステップＳ１８において検索条件と一致する場合は、現在の読み出し位置に基づいた受信データ４１の一覧表示、即ち、受信データ４１の項目で検索条件と一致する項目からの一覧表示が行われ（ステップＳ１９）、終了する。
【００４６】
つまり、無線装置１は、検索キー２１の押下が短押しの操作状態であり、検索実行が指示された場合にステップＳ１５〜Ｓ１９の処理が実行されることで、その操作前に表示部３０に一覧表示されていた項目のカーソル位置から設定された検索方向／検索条件で受信データ４１の検索が行われ、その検索により一致する項目からの一覧表示が行われる。
【００４７】
例えば、図４に示すように、操作前において表示部３０に表示領域Ｒ１が一覧表示され、カーソル位置などが項目Ｄ１であり、設定されている検索条件が「固定局」である場合は、検索キー２１の短押しによる検索実行が指示されることで、項目Ｄ１の次に一致する項目Ｄ２が検索される。そして、表示部３０には、その項目Ｄ２から表示する表示領域Ｒ２が一覧表示される。
【００４８】
以上のように、無線装置１は、制御部１０の制御の下、検索の指示入力を行うための検索キー２１の操作時にその操作状態を判別し、その判別されたいずれかの操作状態に応じて記憶部４０に格納された複数項目のデータから検索すべき項目の条件設定を行い、判別された他の操作状態（例えば短押し）に応じてその設定された検索条件で記憶部４０に格納されたデータから項目の検索を行って、その検索された項目のデータを表示部３０に表示する構成である。
【００４９】
このため、無線装置１は、同一の操作キーである検索キー２１の操作状態を変更するだけで、検索すべき項目の条件の設定と、その設定された条件による項目の検索実行と、を使い分けることができ、一覧表示すべき項目数が増えた場合でも、キーの押し間違いをすることなく、容易に所望の項目を表示することができる。
【００５０】
また、無線装置１は、現在設定されている検索すべき条件が表示部３０の検索条件表示領域Ｇ１１に表示されるため、検索キー２１の操作により項目の検索を実行する際の検索条件の確認を容易に行うことができる。
【００５１】
また、無線装置１は、検索キー２１の操作時における操作状態をキーの押下時間の違いによって判定するため、キーの長押し／短押しなどの簡易な操作で検索すべき項目の条件設定や項目の検索実行などの指示を使い分けることができる。
【００５２】
また、無線装置１は、表示部３０に表示される検索条件設定画面Ｇ２と操作部２０からの操作により、検索すべき項目の条件の切替順を設定し、検索キー２１で検索すべき項目の条件設定が指示された場合、設定された切替順に基づいて検索条件を切り替える構成である。
【００５３】
このため、無線装置１は、検索すべき項目の条件が複数ある場合であっても、長押し／短押しなどの２つの操作状態で検索すべき項目の条件設定と項目の検索実行とを使い分けることができる。
【００５４】
なお、上述した実施の形態における記述は、一例を示すものであり、これに限定するものではない。上述した実施の形態における構成及び動作に関しては、適宜変更が可能である。
【００５５】
例えば、本実施の形態において、複数項目のデータは他の無線装置から受信した受信データ４１を例示したが、特に受信したデータなどに限定するものではない。例えば、コールサイン名毎の項目で設定された無線装置の設定位置、機材名、最終通話日時などのデータなどであってもよい。
【００５６】
また、実施の形態で例示した受信データ４１におけるデータタイプは、天気情報、固定局、位置情報以外に、ＩＤパケット、移動局、機種情報、ＧＰＳデータなどであってよい。また、そのデータ形式もグリッド形式、アイテム形式、ＤＧＰＳ（Differential GPS）形式などであってよい。また、データの通信形式も、ＡＰＲＳ形式以外の通信プロトコルを用いる通信形式であってよい。
【図面の簡単な説明】
【００５７】
【図１】無線装置の機能的構成を模式的に示すブロック図である。
【図２】（ａ）は、無線装置における項目の表示画面を例示する概念図であり、（ｂ）は、無線装置における検索条件を設定する表示画面を例示する概念図である。
【図３】無線装置の動作を例示するフローチャートである。
【図４】無線装置において検索による表示項目の遷移を例示する概念図である。
【符号の説明】
【００５８】
１  無線装置
１０  制御部
２０  操作部
２１  検索キー
３０  表示部
４０  記憶部
４１  受信データ
５０  通信部
６０  通話部
７０  バス
Ｇ１  一覧表示画面
Ｇ２  検索条件設定画面
Ｇ１１  検索条件表示領域
Ｄ１、Ｄ２  項目
Ｒ１、Ｒ２  表示領域
【図１】
2008250638.tif 000003
【図２】
2008250638.tif 000004
【図３】
2008250638.tif 000005
【図４】
2008250638.tif 000006